(57)【特許請求の範囲】
【請求項１】
ブラシもしくはブレードを装備したアジテーターを回転自在に取り付けたアジテーター収納室と、このアジテーター収納室と連通し、かつ掃除機本体との接続部品に接続を行う接続パイプとを有する電気掃除機用吸込具において、前記アジテーター収納室には、床面に対向する位置に設けた集塵用の吸い込み口と、アジテーターを回転させる空気を吸引するために前面に設けた空気流入口を形成するとともに、前記電気掃除機用吸込具が床面に置かれた状態において、前記アジテーター収納室の真空圧が低いときに、前記アジテーターに接触して、その回転を抑制し、前記アジテーター収納室の真空圧が高いときには、前記アジテーターとは接触せず、その回転を抑制しない構成の回転抑制板を、前記アジテーター収納室に配した電気掃除機用吸込具。
【請求項２】
回転抑制板のアジテーターと接触する面に、アジテーターが回転接触すると負の電荷を生じる材料を保持した請求項１記載の電気掃除機用吸込具。
【請求項３】
請求項１または２記載の電気掃除機用吸込具を用いた電気掃除機。
【発明の詳細な説明】
【技術分野】
【０００１】
本発明は電気掃除機の吸込具に関するものである。
【背景技術】
【０００２】
従来、この種の吸込具は、図１０に示すようにアジテーター収納部３４の前方に設けた空気流路３１より吸引する空気をブレード３２に当てることによってアジテーター３３を回転させ、床面のごみを集塵する構成をとっている（例えば、特許文献１参照）。
【特許文献１】特開平１１−１２３１６５号公報
【発明の開示】
【発明が解決しようとする課題】
【０００３】
しかしながら上記のような従来の構成では、アジテーター３３の回転数が上がると騒音が大きくなるという弊害を有していた。特に木床などの平らな被掃除面を掃除する場合は、被掃除面とアジテーター３３とが一定の距離を取った状態で保たれるため、アジテーター３３に加わる負荷が抑えられ、吸引風量が多いとアジテーターは高速で回転して音が大きくなっていた。
【０００４】
一方絨毯などの毛羽立った被掃除面を掃除する場合は、アジテーター３３が絨毯の毛に食い込む形となり、アジテーターを回転させるためには風速を上げるか風量を上げて回転力を高める必要があった。
【０００５】
しかし、単純に風速を上げると風切音が大きくなってしまい、また風量のみを上げるために吸引用の開口を大きくしてもアジテーター３３に風が当たる位置が分散してしまい、回転力を上げる効果は不充分であった。状況によっては一部がアジテーター３３の上方を通過し、逆回転方向の流れが生じることが確認されている。
【０００６】
そのため、従来は斜め下方向への気流を作り出すために空気流路を傾斜させるなどの手段をとっていたが、それによって空気流入口の面積が絞られ、風速が上がって風切り音が高くなっていた。
【０００７】
本発明は上記課題を解決するもので、木床面などの平らな被掃除面上では、アジテーターの回転数を抑え、回転音を低減するとともに、絨毯などの毛羽立った被掃除面上では確実にアジテーターが回転し、優れたごみとれ性を発揮する使い勝手のよい電気掃除機用の吸込具を提供することを目的とする。
【課題を解決するための手段】
【０００８】
上記課題を解決するために本発明は、ブラシもしくはブレードを装備したアジテーターを回転自在に取り付けたアジテーター収納室と、このアジテーター収納室と連通し、かつ掃除機本体との接続部品に接続を行う接続パイプとを有する電気掃除機用吸込具において、前記アジテーター収納室には、床面に対向する位置に設けた集塵用の吸い込み口と、アジテーターを回転させる空気を吸引するために前面に設けた空気流入口を形成するとともに、前記電気掃除機用吸込具が床面に置かれた状態において、前記アジテーター収納室の真空圧が低いときに、前記アジテーターに接触して、その回転を抑制し、前記アジテーター収納室の真空圧が高いときには、前記アジテーターとは接触せず、その回転を抑制しない構成の回転抑制板を、前記アジテーター収納室に配したもので、アジテーター収納室の真空圧が低くなる木床面上では、アジテーターの回転数を抑え、回転音を低減するとともに、アジテーター収納室の真空圧が高くなる絨毯上では優れた回転力を発揮し、あらゆる床面で高性能が得られる使い勝手のよい電気掃除機用吸込具を提供することができる。
【発明の効果】
【０００９】
本発明によれば、木床面やあるいは絨毯面などの被掃除面の状態に関わらず、必要に応じて回転音を抑えながら、あらゆる被掃除面に対して優れたごみ取れ性能を発揮する電気掃除機用の吸込具を提供することができる。
【発明を実施するための最良の形態】
【００１０】
第１の発明は、ブラシもしくはブレードを装備したアジテーターを回転自在に取り付けたアジテーター収納室と、このアジテーター収納室と連通し、かつ掃除機本体との接続部品に接続を行う接続パイプとを有する電気掃除機用吸込具において、前記アジテーター収納室には、床面に対向する位置に設けた集塵用の吸い込み口と、アジテーターを回転させる空気を吸引するために前面に設けた空気流入口を形成するとともに、前記電気掃除機用吸込具が床面に置かれた状態において、前記アジテーター収納室の真空圧が低いときに、前記アジテーターに接触して、その回転を抑制し、前記アジテーター収納室の真空圧が高いときには、前記アジテーターとは接触せず、その回転を抑制しない構成の回転抑制板を、前記アジテーター収納室に配したことにより、木床などの硬い床面では、回転制御板がアジテーターと接触し、回転を抑制することにより、回転数を低下させる。また絨毯などの柔らかな床面では、アジテーター収納室の真空圧が上昇し、回転抑制板は、アジテーターとは接触せず、その回転を抑制しないため、回転数が上がる。これにより木床などで回転数が上がって騒音が高くなるのを防止すると共に絨毯など柔らかで抵抗の大きな床面に対しては、回転を妨げることなく、しっかり塵埃を掻き取ることができるものである。
【００１１】
第２の発明は、第１の発明の回転抑制板のアジテーターと接触する面に、アジテーターが回転接触すると負の電荷を生じる材料を保持したものであり、アジテーターと摺れ合うことでマイナスの電荷が発生し、これがプラスに帯電した塵を引き寄せるため集塵効率が向上し、アジテーターの回転数が抑制されることに伴う集塵性能の低下を補うことができるものである。
【００１２】
第３の発明は、第１または第２の発明の電気掃除機用吸込具を用いた電気掃除機としたものであり、木床面やあるいは絨毯面などの被掃除面の状態に関わらず、必要に応じて回転音を抑えながら、あらゆる被掃除面に対して優れたごみ取れ性能を発揮する電気掃除機を提供することができる。
【００１３】
（実施の形態１）
以下、本発明の実施の形態１について、図１〜図９を用いて従来構成との違いを説明する。なお、この実施の形態によって本発明が限定されるものではない。
【００１４】
１は、本発明の第１の実施の形態における電気掃除機用吸込具で、ブラシ２を配列した回転ブラシ（アジテーター）３を、回転ブラシ収納室（アジテーター収納室）４両端の軸受け５に回転自在に配備してある。回転ブラシ収納室４は回転ブラシ３とほぼ同径の断面で形成しており、底部には吸い込み口７が設けてある。９は延長管１０と接続するためのユカノズルパイプ（接続パイプ）で、回転ブラシ収納室４と連通しており、吸い込み口７から吸引されたごみは、ユカノズルパイプ９を通り、延長管１０、およびホース１１を経て掃除機本体８に吸引される。
【００１５】
なおユカノズルパイプ９と回転ブラシ収納室４は、上下方向に回動自在に連結されており、１２はその回動中心を示す（具体的構成は既存の構成と同じであるため説明は省略する）。
【００１６】
回転ブラシ収納室４の前方下部には、前記吸い込み口７とは別の吸引風を取り入れる空気流入口１４が形成されており、回転ブラシ３を回転させる空気が取り入れられる。
【００１７】
空気流入口１４の開口面積は、平らな床面において掃除機本体の吸引風量の約３０％の風量が吸引できるよう設定してあり、吸い込み口７が塞がれた時でも５０〜７０％の風量が吸引される程度の圧損に抑えてある。また空気流入口１４は、収納室４前方の中央寄りに２箇所形成しており、吸引風が回転ブラシ３の中央付近に当たるようにしてある。
【００１８】
１６は前後に配備したローラーで、回転ブラシ３のブラシ２先端が底部８より１ｍｍ突出するよう床面との距離を維持している。
【００１９】
１７は、回転ブラシ収納室４の前方に形成した突出部で、壁に当たった時の衝撃を受ける補強材の役目をなすとともに、前に配置したローラー１６を回転自在に取り付けてある。
【００２０】
突出部１７の上面には上方に開口した上方空気取入口１８を、突出部１７の前面には前方に開口した前方空気取入口１９を形成しており、それぞれ前述の２箇所の空気流入口１４の位置に揃えて配置してある。
【００２１】
さらに詳細な位置関係を述べると上方空気取入口１８は空気流入口１４より高い位置にあり、空気流入口１４とほぼ直交する向きに形成されている。一方前方空気取入口１９は空気流入口１４に対向する位置にあり、上方空気取入口１８とほぼ直交する向きに開口されている。
【００２２】
上方空気取入口１８の下方には平板２０が形成されており、平板２０の下流側は回転ブラシ収納室４の空気流入口１４まで至り、上方空気取入口１８および前方空気取入口１９から入った空気を空気流入口１４までガイドする。
【００２３】
２１は、回動自在に取り付けられた回転抑制板であり、バネ２２により付勢されている。
【００２４】
上記構成においてその動作を説明する。木床などの平らな被掃除面においた場合、掃除機本体１１の吸引力により吸い込み口７、空気流入口１４、および後部の溝１５から空気が吸引される。掃除機本体１１の吸引風量の約７０％の風量が吸い込み口７から吸引され、約２５％が空気流入口１４から、約５％が溝１５の部分から吸引される。
【００２５】
空気流入口１４から吸引された空気は、回転ブラシ３を回転させ、床面のごみをかきあげる作用を発揮し、吸い込み口７からの吸引風と相まって床面のごみを集塵する。
【００２６】
このとき空気流入口１４に入る空気は、上方空気取入口１８から入る垂直方向の気流と前方空気取入口１９から入る水平方向の気流とがぶつかり合うため斜め下方向への気流となって回転ブラシ収納室４に入る。そのため回転ブラシ３の外径側に風が当たり、高トルクの回転力が発揮される。
【００２７】
但し、空気流入口１４から吸引される空気は全体の吸引量の約２５％であり、回転ブラシ３の回転数が著しく上がるわけではない。
【００２８】
本発明において、木床など平らで硬い床面上に吸込具２１が置かれた場合、回転抑制板２１は、その一部が回転ブラシ３と接触している。これにより回転ブラシ３の回転が抑制される。従来、平らな被掃除面では、回転ブラシが高速（約５０００回転／分）で回り、高い回転音を発していた。静音化を達成することができる。
【００２９】
絨毯など柔らかな床面では、回転ブラシ収納室４の真空圧が上昇し、吸気口２３を塞いでいた回転抑制板２１が下方に回転し、これに伴い回転抑制板２１が回転ブラシ３と離れ接触しないため、回転を妨げず絨毯上で回転数が低下せずしっかり掃除ができる。
【００３０】
また、図７に示すように、回転ブラシ３の前方上部に位置する回転抑制板に、一例として塩ビなどの回転ブラシ３と接触してマイナスの電荷が発生する材料で形成したイオン板２４を取り付ける。回転ブラシ３の回転によりマイナスの電荷が発生する。これがプラスに帯電した塵を引き寄せるため集塵効率が向上し、回転ブラシ３の回転数が低下しても、しっかり塵を吸い取ることができるものである。
【００３１】
尚、回転抑制板の構成は、図８（ａ）、（ｂ）に示すように、回転ブラシ収納室４の前方に軸支された回転抑制板２５がバネ２６に付勢され取り付けられている構成でも支障がないものである。これにより、木床など平らで硬い床面上に吸込具２１が置かれた場合、回転抑制板２５の一部が回転ブラシ３に接触し、回転ブラシ３の回転数を低減して、騒音の増大を抑制できる。
【００３２】
また、マイナスの電荷の発生方法は、図９に示すように、回転ブラシ収納室４の前方に軸支された回転制御板２５の回転ブラシ３側に、例えば塩ビなどの回転ブラシ３と接触してマイナスの電荷が発生する材料で形成したイオン板２７を取り付ける構成でも支障が無く、回転ブラシ３の回転によりマイナスの電荷が発生する。これがプラスに帯電した塵を引き寄せるため集塵効率が向上し、回転ブラシ３の回転数が低下しても、しっかり塵を吸い取ることができるものである。
【産業上の利用可能性】
【００３３】
以上のように、本発明にかかる電気掃除機用吸込具およびこれを用いた電気掃除機は、被掃除面の状態に関わらず、必要に応じて回転音を抑えながら、あらゆる被掃除面に対して優れたごみ取れ性能を発揮でき、業務用等も含めて幅広く適用でき、極めて有用なものである。
【図面の簡単な説明】
【００３４】
【図１】本発明の実施の形態１における電気掃除機用吸込具の断面図
【図２】同、電気掃除機用吸込具の上面図
【図３】同、電気掃除機用吸込具の要部断面図
【図４】同、電気掃除機用吸込具の横断面図
【図５】本発明の実施の形態１における電気掃除機まわりの外観斜視図
【図６】（ａ）本発明の実施の形態１の回転ブラシ収納室の真空圧が低い場合における回転抑制板と回転ブラシとの関係を示す要部断面図（ｂ）同、回転ブラシ収納室の真空圧が高い場合における回転抑制板と回転ブラシとの関係を示す要部断面図
【図７】本発明の実施の形態１における回転抑制板に、回転ブラシと接触してマイナスの電荷が発生する材料で形成したイオン板を取り付けた状態を示す要部断面図
【図８】（ａ）回転ブラシ収納室の真空圧が低い場合における回転抑制板と回転ブラシとの関係を示す、他の実施例の要部断面図（ｂ）回転ブラシ収納室の真空圧が高い場合における回転抑制板と回転ブラシとの関係を示す、他の実施例の要部断面図
【図９】他の実施例における回転抑制板に、回転ブラシと接触してマイナスの電荷が発生する材料で形成したイオン板を取り付けた状態を示す要部断面図
【図１０】従来例における電気掃除機用吸込具の断面図
【符号の説明】
【００３５】
１    電気掃除機用吸込具
２    ブラシ
３    回転ブラシ（アジテーター）
４    回転ブラシ収納室（アジテーター収納室）
７    吸い込み口
９    ユカノズルパイプ（接続パイプ）
１４  空気流入口
１８  上方空気取入口
１９  前方空気取入口
２１  回転抑制板
２４  イオン板
【図１】
0004900099.tif 000002
【図２】
0004900099.tif 000003
【図３】
0004900099.tif 000004
【図４】
0004900099.tif 000005
【図５】
0004900099.tif 000006
【図６】
0004900099.tif 000007
【図７】
0004900099.tif 000008
【図８】
0004900099.tif 000009
【図９】
0004900099.tif 000010
【図１０】
0004900099.tif 000011